(57)【要約】【課題】移動させても位置の調整が不要で、使用者が座った状態で容易に後頭部や側頭部や頭頂部を視認することができる三面鏡付き椅子を提供する。【解決手段】三面鏡４が、椅子２の背もたれ２ａの上部に設けられている。１対の回転ハンドル１９、２５が、椅子２に座った使用者が操作可能に、椅子２の側部に設けられている。三面鏡４は、一方の回転ハンドル１９により昇降可能、かつ、他方の回転ハンドル２５により下向きの傾斜角度を変更可能に構成されている。三面鏡４は、使用者が椅子２に座って前方に置かれた鏡を見たとき、使用者の後頭部、側頭部および頭頂部を鏡に写して使用者自身で確認可能に設けられている。【選択図】図１
0003188678.tif 000002
【実用新案登録請求の範囲】
【請求項１】
背もたれを有する椅子と、
使用者が前記椅子に座って前方に置かれた鏡を見たとき、前記使用者の後頭部、側頭部および頭頂部を前記鏡に写して前記使用者自身で確認可能に、前記椅子の背もたれの上部に設けられた三面鏡とを、
有することを特徴とする三面鏡付き椅子。
【請求項２】
前記三面鏡は、前記椅子に対して昇降可能、かつ前記椅子の前方に向かって下向きの傾斜角度を変更可能に設けられていることを特徴とする請求項１記載の三面鏡付き椅子。
【請求項３】
前記椅子に座った使用者が操作可能に、前記椅子の側部に１対の回転ハンドルを有し、
一方の回転ハンドルにより前記三面鏡を昇降可能、かつ、他方の回転ハンドルにより前記三面鏡の下向きの傾斜角度を変更可能に構成されていることを
特徴とする請求項２記載の三面鏡付き椅子。
【請求項４】
前記椅子は、所定の厚みを有し、前部を後部側に折り重ね可能に設けられた座面部と、前記座面部を支持する支持脚とを有し、前記支持脚は、前方中央部に前記座面部の下部から下方に向かって足用スペースを有し、前記座面部の前部を後部側に折り重ねたとき、前記足用スペースの上方が開放されるよう構成されていることを特徴とする請求項１乃至３のいずれか１項に記載の三面鏡付き椅子。
【考案の詳細な説明】
【技術分野】
【０００１】
本考案は、三面鏡付き椅子に関する。
【背景技術】
【０００２】
従来、使用者の後頭部や側頭部や頭頂部を写し、それを前方に置いた別の鏡で使用者自身が確認できるようにするための三面鏡が、本発明者により開発されている（例えば、特許文献１参照）。この三面鏡は、立った状態または椅子に腰を掛けた状態で全身の所望の箇所を容易に視認できるという特徴を有している。
【先行技術文献】
【特許文献】
【０００３】
【特許文献１】実用新案登録第３１４６４４３号公報
【考案の概要】
【考案が解決しようとする課題】
【０００４】
特許文献１に記載の三面鏡は、椅子に腰を掛けた状態でも使用できるが、椅子を移動させるたびに、位置の調整を行わなければならないという課題があった。
【０００５】
本考案は、このような課題に着目してなされたもので、移動させても位置の調整が不要で、使用者が座った状態で容易に後頭部や側頭部や頭頂部を視認することができる三面鏡付き椅子を提供することを目的とする。
【課題を解決するための手段】
【０００６】
上記目的を達成するために、本考案に係る三面鏡付き椅子は、背もたれを有する椅子と、使用者が前記椅子に座って前方に置かれた鏡を見たとき、前記使用者の後頭部、側頭部および頭頂部を前記鏡に写して前記使用者自身で確認可能に、前記椅子の背もたれの上部に設けられた三面鏡とを、有することを特徴とする。
【０００７】
本考案に係る三面鏡付き椅子は、鏡の前に設置して好適に使用される。本考案に係る三面鏡付き椅子は、椅子に使用者が座ったとき、三面鏡に使用者の後頭部や側頭部や頭頂部を写し、それを前方の鏡に写すことにより、使用者自身で後頭部や側頭部や頭頂部を容易に確認することができる。また、使用者が前方の鏡を背にして三面鏡の方を向いて立つことにより、向きを変えながら後ろ姿や横スタイルなど全方向の姿を三面鏡に写し、確認することができる。
【０００８】
本考案に係る三面鏡付き椅子は、三面鏡が椅子の背もたれの上部に設けられているため、椅子と三面鏡とを一体的に移動させることができる。このため、椅子を移動させても、三面鏡の位置の調整が不要であり、移動後すぐに三面鏡を利用することができる。なお、三面鏡は、中央の鏡に対して左右の鏡を開閉可能、かつ、中央の鏡に対する左右の鏡の角度を調整可能であることが好ましい。
【０００９】
本考案に係る三面鏡付き椅子で、前記三面鏡は、前記椅子に対して昇降可能、かつ前記椅子の前方に向かって下向きの傾斜角度を変更可能に設けられていることが好ましい。この場合、使用者ごとに、使用者の座高や姿勢等に応じて、使用者が見えやすい所望の位置や角度に三面鏡を調整することができる。
【００１０】
本考案に係る三面鏡付き椅子は、前記椅子に座った使用者が操作可能に、前記椅子の側部に１対の回転ハンドルを有し、一方の回転ハンドルにより前記三面鏡を昇降可能、かつ、他方の回転ハンドルにより前記三面鏡の下向きの傾斜角度を変更可能に構成されていることが好ましい。この場合、使用者が座ったままの状態で、写り具合を確かめながら、三面鏡の調整を容易に行うことができる。
【００１１】
本考案に係る三面鏡付き椅子で、前記椅子は、所定の厚みを有し、前部を後部側に折り重ね可能に設けられた座面部と、前記座面部を支持する支持脚とを有し、前記支持脚は、前方中央部に前記座面部の下部から下方に向かって足用スペースを有し、前記座面部の前部を後部側に折り重ねたとき、前記足用スペースの上方が開放されるよう構成されていてもよい。この場合、座面部の前部を後部側に折り重ね、使用者が三面鏡の方に向いて足用スペースに立つことにより、向きを変えながら後ろ姿や横スタイルなど全方向の姿全体を三面鏡に写しやすくすることができる。
【考案の効果】
【００１２】
本考案によれば、移動させても位置の調整が不要で、使用者が座った状態で容易に後頭部や側頭部や頭頂部を視認することができる三面鏡付き椅子を提供することができる。
【図面の簡単な説明】
【００１３】
【図１】本考案の実施の形態の三面鏡付き椅子を示す（ａ）正面図、（ｂ）右側面図である。
【図２】図１に示す三面鏡付き椅子の、座面部の前部を後部側に折り重ねたときの（ａ）左側面図、（ｂ）平面図である。
【図３】図１に示す三面鏡付き椅子の駆動機構を示す正面図である。
【図４】図１に示す三面鏡付き椅子の駆動機構を示す平面図である。
【図５】図１に示す三面鏡付き椅子の、駆動機構と三面鏡との取り付け部分の拡大右側面図である。
【図６】図１に示す三面鏡付き椅子の使用状態を示す左側面図である。
【考案を実施するための形態】
【００１４】
以下、図面に基づき本考案の実施の形態について説明する。
図１乃至図６は、本考案の実施の形態の三面鏡付き椅子を示している。
図１および図２に示すように、三面鏡付き椅子１は、椅子２と駆動機構３と三面鏡４とを有している。
【００１５】
図１および図２に示すように、椅子２は、背もたれ２ａを有する一人掛けのソファーから成っている。椅子２は、座るための座面部１１と、座面部１１を支持する支持脚１２とを有している。座面部１１は、所定の厚みを有し、前部１１ａを後部側に折り重ね可能に設けられている。支持脚１２は、前方中央部に、座面部１１の下部から設置面まで設けられた足用スペース１２ａを有している。足用スペース１２ａは、支持脚１２の前方中央部が奥に向かって凹んで形成されている。支持脚１２は、座面部１１の前部１１ａを後部側に折り重ねたとき、足用スペース１２ａの上方が開放されるよう構成されている。
【００１６】
図３乃至図５に示すように、駆動機構３は、主に椅子２に内蔵されており、椅子２の下部から背もたれ２ａの上部を突き抜けて上下方向に伸びる支持柱１３と、支持柱１３の下部に上下方向に沿って取り付けられたラック１４と、ラック１４と噛み合ったピニオン１５と、ピニオン１５を回転可能にピニオン１５の回転軸に取り付けられて椅子２の前方に向かって伸びる軸部材１６と、軸部材１６に対して横方向に直角に設けられ、先端が椅子２の支持脚１２の一方の側部から突出する回転軸材１７と、回転軸材１７の中心軸周りの回転を軸部材１６の中心軸周りの回転に変換可能に設けられたかさ歯車１８と、回転軸材１７を回転させるための回転ハンドル１９とを有している。回転ハンドル１９は、椅子２に座った使用者が操作可能な位置に設けられている。これにより、駆動機構３は、椅子２に座った使用者が回転ハンドル１９を回転させることにより、支持柱１３を上下動可能になっている。
【００１７】
また、駆動機構３は、支持柱１３の中心に配置され、上下方向に伸びて上端が支持柱１３の上端から突出したスライド柱２０と、スライド柱２０の下部に接続され上下方向に伸びるラック２１と、ラック２１と噛み合ったピニオン２２と、横方向に伸びるよう設けられ、先端が椅子２の支持脚１２の他方の側部から突出する回転軸材２３と、回転軸材２３の中心軸周りの回転をピニオン２２の回転に伝達可能に、回転軸材２３とピニオン２２とに巻掛けられたベルト２４と、回転軸材２３を回転させるための回転ハンドル２５とを有している。回転ハンドル２５は、椅子２に座った使用者が操作可能な位置に設けられている。これにより、駆動機構３は、椅子２に座った使用者が回転ハンドル２５を回転させることにより、スライド柱２０を上下動可能になっている。
【００１８】
図１および図２に示すように、三面鏡４は、３つの鏡がステンレス製複合ミラーから成り、中央の鏡に対して左右の鏡を開閉可能、かつ、中央の鏡に対する左右の鏡の角度を調整可能になっている。三面鏡４は、小さい力でも開閉可能に、トルクヒンジ２６で左右の鏡が中央の鏡に取り付けられている。三面鏡４は、椅子２の背もたれ２ａの上部で、支持柱１３の上端に取り付けられている。また、図５および図６に示すように、三面鏡４は、各鏡が水平を向いた位置から、前方に向かって下向きに傾斜可能に、トルクヒンジ２７で所定の軸を中心に回転可能に設けられている。三面鏡４は、その所定の軸より後方でスライド柱２０の上端に接続されており、スライド柱２０を上昇させると下向きに傾斜するようになっている。これにより、三面鏡４は、椅子２に座った使用者が回転ハンドル１９を回転させることにより昇降可能、かつ、椅子２に座った使用者が回転ハンドル２５を回転させることにより下向きの傾斜角度を変更可能に構成されている。
【００１９】
図１乃至図６に示す具体的な一例では、三面鏡４は、中央の鏡に対して左右の鏡を最大１６５度まで開くことができるようになっている。また、三面鏡４は、各鏡が水平を向いた位置から、前方に向かって下向きに最大２５度まで傾斜可能になっている。
【００２０】
次に、作用について説明する。
三面鏡付き椅子１は、鏡の前に設置して好適に使用される。三面鏡付き椅子１は、椅子２に使用者が座ったとき、三面鏡４に使用者の後頭部や側頭部や頭頂部を写し、それを前方の鏡に写すことにより、使用者自身で後頭部や側頭部や頭頂部を容易に確認することができる。また、使用者が前方の鏡を背にし、三面鏡４の方を向いて椅子２の前に立つことにより、向きを変えながら後ろ姿や横スタイルなど全方向の姿を三面鏡４に写し、確認することができる。
【００２１】
三面鏡付き椅子１は、三面鏡４が椅子２の背もたれ２ａの上部に設けられているため、椅子２と三面鏡４とを一体的に移動させることができる。このため、椅子２を移動させても、三面鏡４の位置の調整が不要であり、移動後すぐに三面鏡４を利用することができる。
【００２２】
三面鏡付き椅子１は、回転ハンドル１９で三面鏡４を昇降したり、回転ハンドル２５で三面鏡４を傾斜させたりすることにより、使用者ごとに、使用者の座高や姿勢等に応じて、使用者が見えやすい所望の位置や角度に三面鏡４を調整することができる。また、使用者が座ったままの状態で、写り具合を確かめながら、三面鏡４の調整を容易に行うことができる。
【００２３】
また、三面鏡付き椅子１は、座面部１１の前部１１ａを後部側に折り重ね、使用者が三面鏡４の方に向いて足用スペース１２に立つことにより、向きを変えながら後ろ姿や横スタイルなど全方向の姿全体を三面鏡４に写しやすくすることができる。
【００２４】
なお、三面鏡付き椅子１は、回転ハンドル１９および回転ハンドル２５の少なくとも一方が、横方向に突出する把持部３１を有し、その把持部３１を９０度折り畳み可能になっていてもよい。図３に示す一例では、回転ハンドル１９が折り畳み可能な把持部３１を有している。この場合、回転ハンドル１９を使用するときには、把持部３１を出すことにより容易に回転させることができ、使用しないときには、把持部３１を折り畳むことにより、人の通行などの邪魔にならないようにすることができる。
【符号の説明】
【００２５】
１  三面鏡付き椅子
２  椅子
２ａ  背もたれ
１１  座面部
１１ａ  前部
１２  支持脚
１２ａ  足用スペース
３  駆動機構
１３  支持柱
１４  ラック
１５  ピニオン
１６  軸部材
１７  回転軸材
１８  かさ歯車
１９  回転ハンドル
２０  スライド柱
２１  ラック
２２  ピニオン
２３  回転軸材
２４  ベルト
２５  回転ハンドル
４  三面鏡
２６、２７  トルクヒンジ
【図１】
0003188678.tif 000003
【図２】
0003188678.tif 000004
【図３】
0003188678.tif 000005
【図４】
0003188678.tif 000006
【図５】
0003188678.tif 000007
【図６】
0003188678.tif 000008